(57)【要約】【課題】２台のカメラを設けることなく安価な構成の虹彩認識システムを提供する。【解決手段】測距センサ３は撮像素子１と認証対象者の顔１１との距離を測定して距離情報を取得し、画像解析部４は撮像素子で撮影される顔全体の像から目１２の位置データを取得し目の位置を解析する。撮像素子制御部５は測距センサで測定する距離情報、及び画像解析部で解析される目の位置データを基に移動手段２を駆動することにより撮像素子の移動を行い、認証対象者の目の部分に撮像方向を向ける。【選択図】        図１
2004287621.tif 000002
【特許請求の範囲】
【請求項１】
認証対象者の顔全体を含む像及び目を撮影する撮像素子と、
前記撮像素子を前記認証対象者の方向に移動させる移動手段と、
前記認証対象者と前記撮像素子との距離を測る測距センサと、
前記撮像素子で撮影される顔の画像データを基にして前記目の位置を解析する画像解析部と、
前記画像解析部で解析される前記目の位置データ及び前記測距センサの距離情報を基にして前記撮像素子が前記認証対象者の方向に移動して前記目を撮像可能なように前記移動手段を制御する撮像素子制御部とを、
有する虹彩認識システム。
【発明の詳細な説明】
【０００１】
【発明の属する技術分野】
本発明は、虹彩により得られる画像情報を用いて個人を識別するための虹彩認識システムに関する。
【０００２】
【従来の技術】
従来の虹彩認識システムとしては、下記の特許文献１に記載されたものが知られている。図３はその従来の虹彩認識システムを示しており、顔全体を含む像を撮影する主カメラ１００と、その顔の目のみを撮影する移動カメラ１０１と、目の位置を解析する画像解析部１０２と、目の位置データを基に移動カメラ１０１の方向を合わせるカメラ制御部１０３と、虹彩データから個人を識別する識別部１０４から構成されており、２台のカメラ１００、１０１により、虹彩データを基に個人認識を行うものである。
【０００３】
【特許文献１】
特開平１０−０４０３８６号公報（段落０００５、０００６、図１）
【０００４】
【発明が解決しようとする課題】
しかしながら、このような従来の虹彩認識システムでは、虹彩データを抽出するために２台のカメラが必要であるためコスト増になるという問題があった。
【０００５】
本発明は上記従来例の問題点に鑑み、２台のカメラを設けることなく安価な構成の虹彩認識システムを提供することを目的とする。
【０００６】
【課題を解決するための手段】
本発明は上記目的を達成するために、
認証対象者の顔全体を含む像及び目を撮影する撮像素子と、
前記撮像素子を前記認証対象者の方向に移動させる移動手段と、
前記認証対象者と前記撮像素子との距離を測る測距センサと、
前記撮像素子で撮影される顔の画像データを基にして前記目の位置を解析する画像解析部と、
前記画像解析部で解析される前記目の位置データ及び前記測距センサの距離情報を基にして前記撮像素子が前記認証対象者の方向に移動して前記目を撮像可能なように前記移動手段を制御する撮像素子制御部とを、
有する構成とした。
この構成により、１つの安価な撮像素子により虹彩データが得られ、安価な構成の虹彩認識システムが可能となる。
【０００７】
【発明の実施の形態】
以下、図面を参照して本発明の実施の形態について説明する。図１に本発明の第１の実施の形態における虹彩認識システムのブロック図を示す。この虹彩認識システムは、撮像素子１と、移動手段２と、測距センサ３と、画像解析部４と、撮像素子制御部５と識別部６を有する。
【０００８】
撮像素子１は認証対象者の顔１１全体の像及び左右の目１２（以下、一方の目も符号１２で示す）を撮影し、移動手段２は伸縮制御可能な棒などであり、撮像素子１を認証対象者の方向に移動させる。測距センサ３は撮像素子１と認証対象者の顔１１との距離を測定して距離情報を取得し、測距センサ３としては赤外線投光による反射光の光量により対象物との距離を測定する反射光式測距センサなどが挙げられる。画像解析部４は撮像素子１で撮影される顔１１全体の像から左右の目１２の位置データを取得し、左右の目１２の位置を解析する。撮像素子制御部５は測距センサ３で測定する距離情報、及び画像解析部４で解析される左右の目１２の位置データを基に移動手段２を駆動することにより撮像素子１の移動を行い、認証対象者の左右の目１２の部分に撮像方向を向ける。
【０００９】
虹彩解析部７は撮像素子１で撮影される左右の目１２の像から虹彩１３の像を解析し、特徴抽出部８は虹彩解析部７で解析されたデータから虹彩１３を特徴づけるデータを取り出す。その手法は特公平５−８４１１６６号公報に記載されたような方法でよい。判定部９は、虹彩解析部７から得られる情報と特徴抽出部８から得られる情報とを基にして、左右どちらの目１２の虹彩データを取得するのかを判定する。例えば、明瞭に取得された一方の目１２の虹彩データのみが取得されてもよい。識別制御部１０は特徴抽出部８から得られるデータを受け入れて、あらかじめ蓄積されている標本データと照合して個人を識別する。
【００１０】
図２は、本発明の第１の実施の形態における虹彩認識システムの撮像素子の制御フローチャートである。この制御フローチャートは、１台の撮像素子１を使用して虹彩１３を撮影するためのものである。まず、ステップＳ１において、撮像素子１で顔１１全体の像を撮影する。すなわち、撮像素子１の前に近づいた人間をとらえ、その人間の顔１１を撮影する。続くステップＳ２において左右の目１２の位置を解析する。すなわち、ステップＳ１で撮影される人の顔１１の画像データを基にして、顔１１全体から識別の対象とする虹彩１３を含む左右の目１２の位置がどこにあるかを解析する。そのとき、測距センサ３において撮像素子１と認証対象者の顔１１との距離を測定する。
【００１１】
続くステップＳ３では、ステップＳ２で得られた左右の目１２の位置データ及び距離データから撮像素子制御部５を動作させ、その制御信号により移動手段２を駆動させて、撮像素子１を認証対象者の左右の目１２の測定撮影場所に移動させる。なお、このとき左右の目１２の位置情報より、左右の目１２の位置に移動可能とする。続くステップＳ４では撮像素子１で左右の目１２の像を撮影する。その後は、ステップＳ５で虹彩データの取得を行う。こうして、撮像素子１で撮影される左右の目１２の内、例えば右目１２の像を虹彩解析部７で解析して右目１２の虹彩データを得る。この虹彩データを基に特徴抽出部８でこの虹彩を特徴づけるデータを取り出す。その過程で判定部９は、右目１２であることの情報を虹彩解析部７及び特徴抽出部８に入力して、虹彩データを生成する。そして、識別制御部１０において、この虹彩データを、識別制御部１０に蓄積されている個人を特定するための標本データと照合する。その結果、個人を識別することができる。
【００１２】
【発明の効果】
このように、１台の安価な撮像素子を移動可能とすることで、認証対象者の顔の像及び目を撮影するので、２台の撮像素子を使うことも無く虹彩認識が可能になり、システムの更なるコストダウンを図ることができる。
【図面の簡単な説明】
【図１】本発明の第１の実施の形態における虹彩認識システムのブロック図
【図２】本発明の第１の実施の形態における虹彩認識システムの撮像素子の制御フローチャート
【図３】従来の虹彩認識システムのブロック図
【符号の説明】
１  撮像素子
２  移動手段
３  測距センサ
４  画像解析部
５  撮像素子制御部
６  識別部
７  虹彩解析部
８  特徴抽出部
９  判定部
１０  識別制御部
１１  顔（認証対象者）
１２  目（認証対象者）
１３  虹彩（認識対象者）
【図１】
2004287621.tif 000003
【図２】
2004287621.tif 000004
【図３】
2004287621.tif 000005